(57)【要約】【課題】複数の収容区画を有する収容箱等に収容される固形水彩絵の具であり、収容箱の中に散乱する懸念が少ない固形水彩絵の具を開発する。【解決手段】  固形絵の具１は、水溶性の絵の具組成物を一定の固形形状に成形したものである。固形絵の具１の断面形状は、底辺２０と、上辺２１と、左右側辺２２ａ，ｂで囲まれた台形形状であり、底辺２０の長さは上辺２１に比べて短い。そのため固形絵の具１の断面形状は、テーパー状を呈している。固形絵の具１の本体部７の底面３０に、接着剤層２７が設けられている。接着剤層２７は、両面テープ２８によって形成されている。【選択図】図５
2017210505.tif 000002
【特許請求の範囲】
【請求項１】
水溶性の絵の具組成物を一定の固形形状に成形してなる固形水彩絵の具において、少なくとも一面に接着剤層を有することを特徴とする固形水彩絵の具。
【請求項２】
前記接着剤層は、水溶性であることを特徴とする請求項１に記載の固形水彩絵の具。
【請求項３】
前記接着剤層の主成分は、絵の具組成物にも含有されているものであることを特徴とする請求項１又は２に記載の固形水彩絵の具。
【請求項４】
接着剤層に離型シートが設けられており、離型シートを剥がすことによって接着層を露出させることができることを特徴とする請求項１乃至３のいずれかに記載の固形水彩絵の具。
【請求項５】
前記接着剤層は、シート状の基材の両面に接着層が設けられた両面接着テープによって構成されており、外側の接着層に離型シートが設けられていることを特徴とする請求項１乃至４のいずれかに記載の固形水彩絵の具。
【請求項６】
断面形状が略台形であって底辺と上辺と左右側辺を有し、底辺は上辺よりも短く、底辺部に接着剤層があることを特徴とする請求項１乃至５のいずれかに記載の固形水彩絵の具。
【請求項７】
収容区画が設けられた収容箱に収容される固形水彩絵の具であって、平面形状が略四角形であり、平面断面における各角にアール部があり、当該アール部のアールは、収容箱の該当部分のアールよりも大きいことを特徴とする請求項１乃至６のいずれかに記載の固形水彩絵の具。
【請求項８】
色を特定する表示が付されていることを特徴とする請求項１乃至７のいずれかに記載の固形水彩絵の具。
【発明の詳細な説明】
【技術分野】
【０００１】
本発明は、固形水彩絵の具に関するものである。特に本発明は、複数の収容区画を有する収容箱等に収容される固形水彩絵の具に関するものである。
【背景技術】
【０００２】
絵の具の一形態として、特許文献１，２に開示された様な固形水彩絵の具がある。固形水彩絵の具（以下  単に固形絵の具と略称する場合がある）は、水性の絵の具組成物が一定の固形形状に成形されたものである。固形絵の具は多くの場合、高さの低い収容箱に多数の色が収容されて販売され、使用される。即ち固形絵の具は、絵の具セットとして販売され、使用される。
固形絵の具をセットする収容箱は、固形絵の具を収容する収容区画を多数有している。そして各収容区画に色違いの固形絵の具が収容されている。
使用者は、筆を濡らして収容区画内の固形絵の具の表面を撫で、固形絵の具の一部を溶かして筆に付着させる。そしてパレットで筆に付着した絵の具を延ばし、紙に塗布して絵を描く。
【０００３】
固形絵の具のセットは、一般に小型であるから携行に便利である。そのため使用者は固形絵の具のセットを手軽に持ち運び、屋外等で絵の創作を楽しむことができる。
【先行技術文献】
【特許文献】
【０００４】
【特許文献１】特開２００７−９１９８号公報
【特許文献２】特開２００７−２７６１１６号公報
【発明の概要】
【発明が解決しようとする課題】
【０００５】
固形絵の具は、前記した様に多数の色がセット物として販売される場合が多い。
また固形絵の具は、顔料等が高密度に詰まっており、一個の固形絵の具で描くことができる面積が広いので長持ちする。セット物の固形絵の具を購入すると、長年に渡ってそのセット物を使用しつ続けることができる場合が多い。
【０００６】
しかしその一方で職業として絵を描く使用者もあり、その様な使用者は、比較的短期間で固形絵の具を消費してしまう場合もある。
ここで前記した様に固形絵の具は、多数の色がセット物として販売されるが、各色の消費量は一様ではない。
例えば風景を描くことが多い使用者であれば、緑色や青色の消費量が他の色に比べて多くなる。また似顔絵を描くことが多い使用者であれば、肌色、赤、黒、茶色といった色の消費量が他の色に比べて多くなる。そのため特定の色の固形絵の具が多く消費されて使い尽くされ、他の色の固形絵の具は、購入時とほとんど変わらない状態であって新品同様であるという場合もある。
この様な場合、使用者は特定の色の固形絵の具を買い求め、固形絵の具が多く消費されて使い尽くされ、空き室状態となった収容区画に購入した色の固形絵の具をはめ込んで使用する。そして使用者は、新たに購入した固形絵の具が空所にはめ込まれた収容箱を屋外等に携行し、好みの絵を描く。
【０００７】
しかしながら新たに固形絵の具を購入して収容区画にはめ込んだ場合、収容区画と固形絵の具の間に隙間ができる場合がある。そのため固形絵の具のセットを携行する途中で、携行時の振動によって、新たにはめ込んだ固形絵の具が収容区画から脱落する場合がある。
目的場所に到着し、収容箱の蓋を開いて収容箱のなかで散乱した固形絵の具を見た使用者は、絵画の創作に先立って、収容箱の中に散乱した固形絵の具を本来の収容区画に戻す作業を強いられる。そのため使用者はせっかく高まった創作意欲に水をさされ、創作意欲が減じてしまう場合がある。
【０００８】
そこで本発明は、上記した問題点に注目し、収容箱の中に散乱する懸念が少ない固形水彩絵の具を開発することを課題とするものである。
【課題を解決するための手段】
【０００９】
上記した課題を解決するための態様は、水溶性の絵の具組成物を一定の固形形状に成形してなる固形水彩絵の具において、少なくとも一面に接着剤層を有する固形水彩絵の具である。
【００１０】
本態様の固形水彩絵の具では、少なくとも一面に接着剤層が設けられている。そのため収容区画の一部に接着剤層を介して固形水彩絵の具が固定される。従って本発明の固形水彩絵の具は、携行時に振動等を受けても収容区画から脱落しない。
【００１１】
前記接着剤層は、水溶性であることが望ましい。
【００１２】
本態様の固形水彩絵の具では、接着剤層が水溶性であるから、溶かした絵の具と混じっても悪影響を与えにくい。
【００１３】
上記した各態様において、前記接着剤層の主成分は、絵の具組成物にも含有されているものであることが望ましい。
【００１４】
本態様の固形水彩絵の具では、接着剤層の主成分は、絵の具組成物にも含有されているものであるから、溶かした絵の具と混じっても悪影響を与えにくい。
【００１５】
上記した各態様において、接着剤層に離型シートが設けられており、離型シートを剥がすことによって接着層を露出させることができることが望ましい。
【００１６】
本態様の固形水彩絵の具では、接着剤層に離型シートが設けられている。そのため接着層は露出せず、使用者が触れてもべとつかない。
使用者は離型シートを剥がして接着層を露出させ、固形水彩絵の具を収容区画の一部に固定することができる。
【００１７】
上記した各態様において、前記接着剤層は、シート状の基材の両面に接着層が設けられた両面接着テープによって構成されており、外側の接着層に離型シートが設けられていることが望ましい。
【００１８】
本態様の固形水彩絵の具では、外側の面に離型シートが設けられている。そのため接着層は露出せず、使用者が触れてもべとつかない。
使用者は離型シートを剥がして接着層を露出させ、固形水彩絵の具を収容区画の一部に固定することができる。
【００１９】
上記した各態様において、断面形状が略台形であって底辺と上辺と左右側辺を有し、底辺は上辺よりも短く、底辺部に接着剤層があることが望ましい。
【００２０】
本態様の固形水彩絵の具の断面形状は、底辺が上辺よりも小さい「逆台形」形状であるから、固形水彩絵の具を収容区画に入れやすい。
【００２１】
上記した各態様において、収容区画が設けられた収容箱に収容される固形水彩絵の具であって、平面形状が略四角形であり、平面断面における各角にアール部があり、当該アール部のアールは、収容箱の該当部分のアールよりも大きいことが望ましい。
【００２２】
本態様によると、固形水彩絵の具を収容区画に入れやすい。
【００２３】
色を特定する表示が付されていることが望ましい。
【発明の効果】
【００２４】
本発明の固形水彩絵の具は一部に接着剤層を有し、固形水彩絵の具自体を収容区画の一部に接着することができる。そのため本発明の固形水彩絵の具は、収容区画から離脱しにくい。
【図面の簡単な説明】
【００２５】
【図１】本発明の実施形態の固形水彩絵の具が、多数装着された収容箱の斜視図であり、蓋を開いて本体箱の内部を露出させた状態を示す。
【図２】図１の収容箱の収容区画の拡大図であり、固形水彩絵の具がすべて新品の状態を示す。
【図３】図１の収容箱の収容区画の拡大図及び本発明の実施形態の固形水彩絵の具の斜視図であり、一部の固形水彩絵の具が使い尽くされている状態を示す。
【図４】（ａ）乃至（ｄ）は、収容箱の収容区画内を清掃して固形水彩絵の具を装着する手順を示す収容区画の断面図である。
【図５】（ａ）乃至（ｃ）は収容箱の収容区画に本発明の第一実施形態の固形水彩絵の具を挿入する際の手順を示す断面図である。
【図６】（ａ）乃至（ｃ）は収容箱の収容区画に本発明の第二実施形態の固形水彩絵の具を挿入する際の手順を示す断面図である。
【図７】本発明の実施形態の固形水彩絵の具の本体部を示し、（ａ）はその正面図、（ｂ）はその平面図、（ｃ）はその側面図である。
【図８】本発明の実施形態の固形水彩絵の具が収容箱の収容区画に収容された状態を示す平面図である。
【発明を実施するための形態】
【００２６】
以下さらに本発明の実施形態の固形水彩絵の具（固形絵の具）１を説明する。本実施形態の固形絵の具１は、取り替え用の固形絵の具１である。
即ち元の固形絵の具１００は、図１に示す様な収容箱２に収容されて販売され、携行される。実施形態の固形絵の具１は、販売時に収容箱２に収容されていた、いずれかの固形絵の具１００が使い尽くされた際に、元の固形絵の具１００と置き換えて収容箱２に収容されるものである。
【００２７】
収容箱２は、本体箱３と蓋５によって構成されている。図１は、蓋５を開いた状態を示している。
蓋５の内面をパレットとして使用することもできる。
収容箱２の本体箱３は、中央に絵の具収容領域１０がある。また絵の具収容領域１０の両脇に筆を拭うためのスポンジ１１が収容されている。さらに本体箱３の中には、筆を収容する筆収容部１２がある。
【００２８】
前記した絵の具収容領域１０には、複数の収容区画１５が形成されている。本実施形態では、合計２４個の収容区画１５が、図１の様に６行４列に配列されている。
収容区画１５は、図４の様にいずれも底面１３を有している、また各収容区画１５は、隔壁１６によって長方形に囲まれている。
【００２９】
図２，３，８の様に、各収容区画１５には、色を特定する表示が付されている。色を特定する表示は、色番号、色票番号、カラーコード、マンセル記号等の表示であり、数字や記号で色を特定するものである。色を特定する表示には、公的な機関や協会、組合等によって定められてものや、認定されたものがある。また色を特定する表示は、絵の具等を製造する業者等が独自に定めた表示であってもよい。
【００３０】
固形絵の具１は、水溶性の絵の具組成物を一定の固形形状に成形したものである。本実施形態では、固形絵の具１は略直方体に成形されている。より正確には、固形絵の具１の断面形状は、図５の様に逆台形形状である。即ち固形絵の具１の断面形状は、底辺２０と、上辺２１と、左右側辺２２ａ，ｂで囲まれた台形形状であり、底辺２０の長さは上辺２１に比べて短い。そのため固形絵の具１の断面形状は、テーパー状を呈している。
本実施形態では、固形絵の具１の上辺２１は僅かに膨らみがあり、円弧状となっている。固形絵の具１の上辺２１と左右側辺２２ａ，ｂとの間にはアール部４０があり、円弧形状である。
本実施形態では、固形絵の具１の各角は、図３、図５の様にすべてアール加工が施されている。
【００３１】
図７に示すように固形絵の具１を平面視したとき、各角の部分にアール部４０があり、当該部分は円弧形状である。即ち固形絵の具１は、略直方体であって６面体であり、図３の様に、上面４３と底面３０と、４側面４６ａ，ｂ，ｃ，ｄによって構成されている。そして４側面４６ａ，ｂ，ｃ，ｄの隣接する稜線にアール部４０があり、当該部分は円弧形状である。
なお固形絵の具１のアール部４０のアールは、図８の様に、各収容区画１５の隔壁１６が接合される部分の角のアールよりも大きい。
即ち固形絵の具１のアール部４０のアールは、収容箱２の該当部分のアールよりも大きい。
【００３２】
固形絵の具１の成形方向は任意であるが、本実施形態では、原料を混練りしたものを押出機で押し出し、それを一定の寸法に切断して直方体のブロック状固形物を切り取る。そしてそのブロック状固形物を金型で挟んで、断面形状を五角形に成形する。なお金型で挟む際に、各角にアールが形成される。
【００３３】
本実施経緯では、固形絵の具１に、色を特定する表示が付されている。具体的には、固形絵の具１の上面４３に、色番号が刻印されている。色を特定する表示は、固形絵の具１の他の面に刻印されていてもよい。また表示方法は、刻印の他、シール等を付する方法であってもよい。
【００３４】
固形絵の具１の組成については後記するが、本実施形態では、顔料の他にアラビアガムを含有している。
本実施形態の固形絵の具１に特有の構成として、固形絵の具１の本体部７の底面３０に、接着剤層２７が設けられている。
第１実施形態の固形絵の具１では、接着剤層２７は、両面テープ２８によって形成されている。ここで両面テープ２８は、樹脂製の基材３１を有し、その両面の接着層３３，３５が積層されたものである。また一方の接着層３５には、離型紙（離型シート）３６が設けられている。なお接着層３３，３５の主成分は、絵の具組成物にも含有されているものであることが望ましい。
【００３５】
第１実施形態の固形絵の具１では、本体部７の底面３０に両面テープ２８の露出した側に接着層３３が接しており、接着層３３によって両面テープ２８が本体部７の底面３０に固定されている。固形絵の具１の最底の部位には両面テープ２８の離型紙（離型シート）３６がある。
第１実施形態の固形絵の具１では、離型紙３６を剥がすと、一方の接着層３５が露出する。露出した接着層３５は、そのままの状態で粘着性を有しており、他の部材に貼り付けることができる。
【００３６】
次に、固形絵の具１を収容区画１５に装着する手順について説明する。
前記した様に、第１実施形態の固形絵の具１は、補充用の固形絵の具であり、図３の様に、いずれかの固形絵の具１００が使い尽くされた際に、元の固形絵の具１００があった収容区画１５に装着される。
なお本実施形態では、各収容区画１５に色を特定する表示が付されているので、使用者は各収容区画１５に記された表示と同じ表示が刻印された固形絵の具１を買い求め、元の固形絵の具１００があった収容区画１５に新たな固形絵の具１を装着する。
【００３７】
固形絵の具１を収容区画１５に装着する際には、空き状態となった収容区画１５を清掃することが望ましい。
清掃の手順は、図４の通りである。即ち空き状態となった収容区画１５には、図４（ａ）の様に収容区画１５の底面１３に、元の固形絵の具１００の残さ１０１が残っている。収容区画１５を清掃する際には、図４（ｂ）の様に収容区画１５に水５２を入れて暫く放置する。その結果、元の固形絵の具１００の残さ１０１が軟化するので、図４（ｃ）の様に収容区画１５に溜めた水を抜き、残さ１０１をはぎ取る。そして図４（ｄ）の様に、清掃後の収容区画１５に、新たな固形絵の具１を装着する。
【００３８】
清掃された収容区画１５に固形絵の具１を装着する手順は、図５の通りである。具体的には、図５（ａ）の様に離型紙３６が装着されている状態から、図５（ｂ）の様に離型紙３６を剥がし、接着層３５を露出させる。そして図５（ｃ）の様に固形絵の具１を収容区画１５の凹部に押し込み、固形絵の具１の底に露出した接着層３５を収容区画１５の底面１３に押し当て、接着層３５を収容区画１５の底面１３に接着する。その結果、固形絵の具１は、収容区画１５に一体的に固定される。そのため携行時等に振動を受けても、固形絵の具１が収容区画１５から飛び出すことはない。
【００３９】
本実施形態の固形絵の具１では、接着剤層として両面テープ２８を採用することにより、次の様な利点がある。
（１）使用者が容易に固形絵の具を収容区画１５に装着することができる。
（２）両面テープ２８は厚さが均一であるから、収容区画１５の底面１３に固定しやすく、且つ装着後における固形絵の具１の高さを他の固形絵の具１００に揃えやすい。
（３）液状の接着剤や固形接着剤は、固形絵の具１の本体部７に塗った直後はべとつくが、両面テープ２８は離型紙（離型シート）３６が設けられているのでべとつくことはない。
（４）液状の接着剤や固形接着剤は、乾燥、硬化にある程度の時間を要し、収容区画１５に固形絵の具１を押し当ててからしばらくの間はべとつくが、両面テープ２８は接合直後に接着力を発揮するので、べとつきにくい。
（５）液状の接着剤は、硬化後に収縮する物が多く、固形絵の具１の表面を脆くする場合があるが、両面テープ２８はその懸念が少ない。
また両面テープ２８の基材３１にクッション性を有するものを採用すれば、収容区画１５の底面１３に古い固形絵の具１００の残さ１０１が多少残っていても、固形絵の具１を収容区画１５内に収容することができる。
【００４０】
また本実施形態の固形絵の具１は、断面形状が逆台形形状であって断面形状がテーパー状を呈しているから、固形絵の具１の底面３０は収容区画１５の開口部よりも小さい。そのため固形絵の具１を収容区画１５に入れやすい。
また本実施形態の固形絵の具１のアール部４０は、図８の様に、各収容区画１５の隔壁１６が接合される部分の角のアールよりも大きいので、収容区画１５の角と固形絵の具１の間に適度の隙間４７が生じ、固形絵の具１を収容区画１５に入れやすい。
【００４１】
次に本発明の第二実施形態について説明する。本実施形態の固形絵の具５０についても、本体部７の底面３０に、接着剤層５１が設けられている。なお第二実施形態の固形絵の具５０は、接着剤層５１の構成だけが先の実施形態と相違するので、他の構成については説明を省略する。
本実施形態の固形絵の具５０では、接着剤層５１として、水性の接着剤が選定されている。また本実施形態の固形絵の具５０では、接着剤層５１の主成分は、固形絵の具１の本体部７にも含有されている。
即ち固形絵の具５０の本体部７には、アラビアガムが含まれている。これに対して接着剤層５１は、水に溶解したアラビアガムを塗布し、溶媒たる水を乾燥させたものである。
【００４２】
本実施形態の固形絵の具５０を収容区画１５に装着する手順は、図６の通りである。即ち本実施形態の固形絵の具５０は、図６（ａ）の様に乾燥状態の接着剤層５１を有している。本実施形態では、図６（ｂ）の様に固形絵の具５０の底面３０を水５２に漬け、接着剤層５１を軟化させる。
そして図６（ｃ）の様に固形絵の具５０を収容区画１５の凹部に押し込み、固形絵の具１の接着剤層５１を収容区画１５の底面１３に押し当て、接着剤層５１を収容区画１５の底面１３に接着する。その結果、固形絵の具５０は、収容区画１５に対して一体的に固定される。そのため携行時等に振動を受けても、固形絵の具５０が収容区画１５から飛び出すことはない。
【００４３】
本実施形態の固形絵の具５０は、接着剤層５１として本体部７にも含まれるアラビアガムを採用することにより、次の様な利点がある。
（１）固形絵の具５０を全て使いきる場合、筆に接着剤層５１の主成分たるアラビアガムが付着するが、アラビアガムは本体部７にも含まれているので、塗布された絵に悪影響を与えにくい。
（２）固形絵の具５０の本体部７に接着剤層５１が浸透しても、本体部７に悪影響を与えにくい。
【００４４】
上記した実施形態では、接着剤層５１としてアラビアガムを主成分とするものを採用したが、デキストリン、セルロースエーテル、ＰＶＡ（ポリビニルアルコール）等を主成分とする接着剤層５１であってもよい。またこれらが混合されたものであってもよい。なおアラビアガム、デキストリン、セルロースエーテル、ＰＶＡ（ポリビニルアルコール）は、固形絵の具１，５０の本体部７に配合される場合が多い材料である。
【００４５】
次に、固形絵の具１，５０の本体部７の組成について説明する。
本体部７には、着色材と、水溶性樹脂と、潤滑剤等が含まれている。
本実施形態では、着色材として顔料が使用されている。使用する顔料は特に限定されるものではなく、従来公知のものを採用することができる。
顔料は、有機顔料であっても無機顔料であってもよい。着色材として使用可能な顔料には、例えば酸化チタン、酸化亜鉛、カーボンブラック、鉄黒、アニリンブラック、ボーンブラック、ハンザイエロー、ベンジジンイエロー、タートラジンレーキ、パーマネントイエロートナー、カドミウムイエロー、ベンジジンオレンジ、クロムバーミリオン、カドミウムオレンジ、パーマネントオレンジＧＴＲ、ファーストオレンジレーキ、レーキレッドＣ、弁柄、ワッチングレッド、ブリリアントカーミン６Ｂ、パーマネントレッドＦ５Ｒ、パーマネントレッド２Ｂ、パーマネントレッドＦＲＬＬ、カーマインレーキ、キナクリドンレッド、メチルバイオレットレーキ、ファーストバイオレットＢ、キナクリドンバイオレット、インダスレンバイオレット、フタロシアニンブルー、ファーストスカイブルー、紺青、群青、ビクトリアブルーレーキ、フタロシアニングリーン、マーカライトグリーンレーキ、ピグメントグリーンＢ、ビリジアン、シェンナー、アンバー、アルミニウム粉末、ブロンズ粉末など、有機顔料、無機顔料及び金属粉顔料や、染料や顔料を樹脂粉体と組み合わせた着色加工粉体及び蛍光顔料などや、天然マイカの表面を金属酸化物で被覆したものや、合成マイカの表面を金属酸化物で被覆したパール顔料などがあげられる。
これらの顔料から、適宣選択して用いることができる。
【００４６】
着色材は、顔料を分散剤で分散させた加工顔料であってもよい。加工顔料の一例として、ＮＫＷ２１０３、同２１０４、同２１０５、同２１１７、同２１６７、同２１０８（以上、日本蛍光（株）製）がある。
顔料は単独もしくは２種以上混合して使用することができ、その使用量は、顔料の種類や他の成分により異なるものの、水性顔料組成物全量に対して１重量％以上４０重量％以下が好ましい。
【００４７】
水溶性樹脂は、展色剤として、固形水彩絵の具による筆跡又は、塗布後に皮膜形成能を与え、被筆記面や被塗布面への付着性能を付与したり、水等で溶解時の顔料の分散性を付与したりするといった目的で使用される。
水溶性樹脂は、水に可溶又は分散するものであれば、使用可能であり、水溶性高分子を用いることが出来る。具体的には、膠、アラビアガム、デキストリン等の天然水溶性高分子やカルボキシルメチルセルロース、ヒドロキシエチルセルロース、ヒドロキシプロピルセルロース等の半合成水溶性高分子、ポリビニールアルコール、アクリル系樹脂等の合成水溶性高分子が使用できる。
【００４８】
ここで、カルボキシルメチルセルロース、ヒドロキシエチルセルロース、ヒドロキシプロピルセルロース等のセルロース系半合成樹脂は、木材のセルロースの水酸基に他の置換基をエーテル結合させて作られるもので、カルボキシルメチルセルロースは、ＣＭＣダイセル１１２０、同１１４０、同１１７０、同１１９０、同２２６０、同１３８０（以上、ダイセル工業（株））、セロゲン５Ａ、セロゲン７Ａ（以上、第一工業製薬（株）製）が例示できる。ヒドロキシエチルセルロースは、チローゼＨ３００Ｐ、同Ｈ４０００Ｐ、同１００００Ｐ（以上、日本合成化学（株）製）が例示できる。ヒドロキシプロピルセルロースは、日曹ＨＰＣ−ＳＳＬ、同ＳＬ、同Ｌ、同Ｍ、同Ｈ（以上、日本曹達（株）製）を例示することが出来る。
【００４９】
また、ポリビニールアルコールは、ポリ酢酸ビニルをアルカリ、酸でケン化することによって得られる水溶性合成高分子であり、市販品としては、ゴーセノールＧＨ−２３、同ＧＨ−２０、同ＧＨ−１７、同ＧＭ−１４、同ＧＭ−１４Ｌ、同ＧＬ−０５、同ＧＬ−０３、同ＫＨ−２０、同ＫＨ−１７（以上、日本合成化学工業（株）製）、クラレポバールＰＶＡ２０３，同ＰＶＡ２０５、同ＰＶＡ２１０、同ＰＶＡ２１７、同ＰＶＡ２２０、同ＰＶＡ２２４、同ＰＶＡ２３５、同ＰＶＡ２１７Ｅ、同ＰＶＡ２１７ＥＥ、同ＰＶＡ２２０Ｅ、同ＰＶＡ２２４Ｅ、同ＰＶＡ４０３、同ＰＶＡ４０５、同ＰＶＡ４２０、同ＰＶＡ４２０Ｈ（以上、（株）クラレ製）が例示できる。
【００５０】
更に、アクリル樹脂は、アクリル酸及びその誘導体を重合したものの酸末端基アルカリ塩にし、水に溶けるようにしたものであり、具体的には、メタクリル酸メチル、アクリル酸メチル、アクリル酸エチル、メタクリル酸エチル、アクリル酸イソプロピル、メタクリル酸イソプロピル、アクリル酸ブチル、メタクリル酸ブチルなどのエステル、又は前記アクリル酸エステルやメタクリル酸エステルを組み合わせた共重合体、スチレン−アクリル酸エステルコポリマー系などが挙げられる。具体的には、ジョンクリル６２、同６１Ｊ、同３５４、同５０１（以上、ＢＡＳＦ製）が例示できる。
【００５１】
また、必要に応じて、上記各成分以外を配合することもできる。溶剤としての水、エチルアルコールや、凍結防止剤、乾燥遅延剤等として、グリセリン、エチレングリコール、プロピレングリコール、ジプロピレングリコール、ソルビトール等、体質顔料としてカオリン、タルク、炭酸カルシウム、硫酸バリウム、シリカ、アルミナ、アルミナ・シリカ、薄片状微細結晶が凝集した塩基性炭酸マグネシウム等や、防腐剤・防カビ剤としてフェノール、クロロアセトアミド、１，２−ベンゾイソチアゾリン−３−オン、５−クロロ−２−メチル−４−イソチアゾリン−３−オン、２−メチル−４−イソチアゾリン−３−オン、２−ピリジンチオール−１−オキサイド・ナトリウム塩、デヒドロ酢酸ナトリウム、安息香酸ナトリウム、ソルビン酸ナトリウム、ソルビン酸カリウム、フェノキシエタノール、チアベンダゾールなどが挙げられ、これらは各々２種以上を併用しても良い。さらに防錆剤、脱泡剤、消泡剤、界面活性剤などと併用し得ることは勿論である。
【００５２】
本発明の固形水彩絵の具１，５０の本体部７は、上記成分をニーダー等の従来公知の攪拌、分散機にて混合分散したものに水を加えたり、上記成分をターボミキサーや３本ロールミル、横型ボールミルまたは、横型ビーズミルなどといった従来公知の攪拌、分散機にて混合分散後、乾燥することにより容易に得ることができる。
【００５３】
以上説明した実施形態では、本体部７の底面３０にのみ接着層を設けたが、他の面に接着層を設けてもよい。また複数の面に接着層を設けてもよい。
【００５４】
次に、本発明の効果を確認するために行った実験について説明する。
〔第１実施形態について〕
本発明の実施例として、第１実施形態の固形絵の具１を試作した。両面テープとして次の６種を選定した。
実施例１：ボンドＷＦ０１４Ｓ（コニシ株式会社製）
基材：不織布
実施例２：ボンドＷＦ２１０Ｔ（コニシ株式会社製）
基材  ＰＥＴフィルム
実施例３：ナイスタックＮＷ−１５（ニチバン株式会社製）
基材  再生紙
実施例５：ナイスタックＫ−１５（ニチバン株式会社製）
基材  不織布
実施例６：上質５５−両面ＭＤＮ８０Ｈ（丸昌化学工業株式会社製）
基材  不織布
【００５５】
比較例１として、接着剤層に次の接着剤を使用した固形絵の具を試作した。
比較例１：モビニールＤＭ−５（日本合成化学工業株式会社製）
成分  酢酸ビニル／アクリル  固形分量５３パーセント
また比較例２として、接着剤層を持たない固形絵の具を試作した。
【００５６】
実施例と比較例につき、本体部７の接着性と、べとつき感を比較した。評価方法は、次の通りである。
（１）接着性評価
実施例については、本体部７に両面テープを貼りつけた後、離型紙を剥がし、収容区画１５に固形絵の具１を固定した。
比較例１は、平筆で本体部７に接着剤を塗布し、収容区画１５に固形絵の具１を固定した。比較例２は、本体部７の単体を収容区画１５に入れた。
その後、万能シェーカーＶＳ（イワキ産業株式会社製）に天地逆に装着し、１分間の間、振とうさせ、その後、固形絵の具の落下状況を確認した。
（２）べとつき感
両面テープ及び他の接着剤を本体部７に貼り付け、又は塗布した後、接着剤層の表面を指で触れてべとつくか否かについて、接着直後と接着１週間後に調べた。なお実施例においては、離型紙（離型シート）３６を外さない状態でべとつき感を調べた。
【００５７】
評価結果は、次の表の通りであり、接着性評価、べとつき感の双方とも本発明の実施例の方が優れている。
尚、表中、べとつき感がないものを○と表示している。
【００５８】
【表１】
2017210505.tif 000003
【００５９】
〔第２実施形態について〕
本発明の実施例として、第２実施形態の固形絵の具５０を試作した。水溶性接着剤層として次の４種を選定した。
実施例７：インスタントガムＢＡ（ＮＥＸＩＲＡ社製）
主成分  アラビアガム
実施例８：赤玉デキストリンＮＯ．１０２−Ｓ（日澱化学株式会社製）
主成分  焙焼デキストリン
実施例９：チローゼＨ−４０００  Ｐ２（日本合成化学工業株式会社製）
主成分  ヒドロキシエチルセルロース
実施例１０：ＰＶＡ２１０（株式会社クラレ製）
主成分  ポリビニルアルコール
【００６０】
比較例１として、接着剤層に次の接着剤を使用した固形絵の具を試作した。
比較例１：モビニールＤＭ−５（日本合成化学工業株式会社製）
成分  酢酸ビニル／アクリル  固形分量５３パーセント
比較例２として、接着剤層を持たない固形絵の具を試作した。
【００６１】
第一実施形態と同様の方法により接着性評価を行った。
実施例の固形絵の具の接着性は良好であったが、比較例２は接着性が明らかに劣るものであった。
比較例１は、接着剤が水に溶けず、本体部７を使い切ることが困難であった。
【符号の説明】
【００６２】
１，５０  固形水彩絵の具（固形絵の具）
２  収容箱
１５  収容区画
２０  底辺
２１  上辺
２２ａ，ｂ  左右側辺
２７，５１  接着剤層
２８  両面テープ
３０  底面
３３，３５  接着層
３６  離型紙（離型シート）
【図１】
2017210505.tif 000004
【図２】
2017210505.tif 000005
【図３】
2017210505.tif 000006
【図４】
2017210505.tif 000007
【図５】
2017210505.tif 000008
【図６】
2017210505.tif 000009
【図７】
2017210505.tif 000010
【図８】
2017210505.tif 000011